(57)【要約】【課題】糸を適切に切断できるミシンを提供する。【解決手段】ミシンは、ベッド部、脚柱部、アーム部、糸を切断する糸切り刃１６、及び、上軸の回転する力を前記糸切り刃に伝達するリンク機構２０を備える。リンク機構２０は、棒状の第二リンク２２、第二リンク２２の移動に伴って揺動する揺動機構４０、及び、揺動機構４０の揺動に伴って延伸方向に移動する棒状の刃側リンク２３を備える。揺動機構４０は、棒状の軸部４１２、及び、軸部４１２の一端部から軸部４１２の軸線方向と交差する方向に延びて刃側リンク２３と接続する固定レバー部４１１を備えた本体部材４１と、本体部材４１の軸部４１２の他端部に回動可能に連結し、第二リンク２２と接続する可動レバー部材４２とを備える。揺動機構４０は、軸部４１２のうち固定レバー部４１１と可動レバー部材４２との間をベッド部に揺動可能に支持する。【選択図】図１３
2014188354.tif 000002
【特許請求の範囲】
【請求項１】
ベッド部と、
前記ベッド部の一方の端部から上方に延びる脚柱部と、
前記脚柱部の上端から前記ベッド部に対向して延び、上軸を内部に備えるアーム部と、
前記ベッド部の他方の端部且つ針板の下側に配置し、糸を切断する糸切り刃と、
前記上軸の回転する力を前記糸切り刃に伝達するリンク機構とを備えたミシンにおいて、
前記リンク機構は、
前記上軸の回転に伴って延伸方向に移動する上軸側リンクと、
前記上軸側リンクに接続し、前記上軸側リンクの移動に伴って揺動する揺動機構と、
一端が前記揺動機構に接続し他端が前記糸切り刃まで延び、前記揺動機構の揺動に伴って延伸方向に移動する刃側リンクと
を備え、
前記揺動機構は、
前記上軸側リンクの前記延伸方向と交差する方向に延びる軸部、及び、前記軸部の一端部から前記軸部の軸線方向と交差する方向に延びて前記刃側リンクと接続する固定レバー部を備えた本体部材と、
前記本体部材の前記軸部の他端部に回動可能に連結し、前記軸線方向と交差する方向に延びて前記上軸側リンクと接続する可動レバー部材と
を備え、
前記揺動機構は、前記軸部のうち前記固定レバー部と前記可動レバー部材との間を前記ベッド部に揺動可能に支持することを特徴とするミシン。
【請求項２】
前記可動レバー部材は、
前記軸部の他端部と前記上軸側リンクとに接続し、前記軸部の前記軸線方向と交差する方向に延びる延設部と、
前記延設部の軸部側端部に連結し、前記延設部を前記軸部に回動可能に支持する穴を備えた枠部と、
前記軸部に対して前記枠部を回動不能に固定する固定部と
を備えることを特徴とする請求項１に記載のミシン。
【請求項３】
前記枠部は、
前記穴を内周面に有する円筒状の第一枠部と、前記第一枠部の円筒の外周に設けた第二枠部と、前記第一枠部及び前記第二枠部に亙って設けられ前記穴の軸線に沿って延びる切り割り溝とを備え、
前記第二枠部は、
前記切り割り溝の延びる方向と直交する方向に延びて前記切り割り溝を貫通する螺子穴を備え、
前記固定部は、
前記螺子穴に挿入して前記切り割り溝を貫通することで前記切り割り溝の幅を狭める螺子を備え、
前記螺子を前記螺子穴に挿入して前記切り割り溝の幅を狭めることにより、前記第一枠部の前記穴の内径を狭め前記軸部の外周面に密着して回動不能に固定することを特徴とする請求項２に記載のミシン。
【請求項４】
前記揺動機構は、
前記本体部材の前記軸部に対し前記可動レバー部材を前記固定レバー部と反対側に固定する固定部材を備えたことを特徴とする請求項１から３のいずれかに記載のミシン。
【請求項５】
ベッド部と、
前記ベッド部の一方の端部から上方に延びる脚柱部と、
前記脚柱部の上端から前記ベッド部に対向して延び、上軸を内部に備えるアーム部と、
前記ベッド部の他方の端部且つ針板の下側に配置し、糸を切断する糸切り刃と、
前記上軸の回転する力を前記糸切り刃に伝達するリンク機構とを備えたミシンにおいて、
前記リンク機構は、
前記上軸の回転に伴って延伸方向に移動する上軸側リンクと、
前記上軸側リンクに接続し、前記上軸側リンクの移動に伴って揺動する揺動機構と、
一端が前記揺動機構に接続し他端が前記糸切り刃まで延び、前記揺動機構の揺動に伴って延伸方向に移動する刃側リンクと
を備え、
前記揺動機構は、
前記上軸側リンクの前記延伸方向と交差する方向に延びる軸部、及び、前記軸部の一端部から前記軸部の軸線方向と交差する方向に延びて前記上軸側リンクと接続する固定レバー部を備えた本体部材と、
前記本体部材の前記軸部の他端部に回動可能に連結し、前記軸線方向と交差する方向に延びて前記刃側リンクと接続する可動レバー部材と
を備え、
前記揺動機構は、前記軸部のうち前記固定レバー部と前記可動レバー部材との間を前記ベッド部に揺動可能に支持することを特徴とするミシン。
【発明の詳細な説明】
【技術分野】
【０００１】
本発明は、糸切り機構を備えたミシンに関する。
【背景技術】
【０００２】
上軸の回転する力を利用して糸を切る糸切り機構を備えたミシンがある。特許文献１は、針板の下側に設けた可動刃及び固定刃とリンク機構からなる糸切り機構を備えたミシンを開示する。特許文献１のミシンではリンク機構は上軸の回転する力を可動刃に伝達する。リンク機構は、第１リンク、第２リンク、第３リンク、及び揺動機構を備える。第１リンクは脚柱部内を上下方向に延びる。第１リンクは上軸の回転に伴って延伸方向に移動する。第２リンクはベッド部内を前後方向に延びる。第２リンクは第１リンクの移動に伴って延伸方向に移動する。揺動機構は第２リンク及び第３リンクに接続し、第２リンクの移動に伴って揺動する。第３リンクは揺動機構の揺動に伴って前後方向に移動する。第３リンクは可動刃に接続する。第３リンクは可動刃を駆動し、可動刃は固定刃と協働して糸を切断する。
【０００３】
揺動機構は支持軸、揺動レバー、第１揺動アーム、及び第２揺動アームを備える。支持軸は揺動レバー下端から下方向に延びる。支持軸は揺動レバーを揺動可能に支持する。第１揺動アームは揺動レバーの上端から水平方向に延びる。第１揺動アームの先端に第３リンクが接続する。第２揺動アームは揺動レバーの下端から延伸方向に延びる。第２揺動アームの先端に第２リンクが接続する。揺動機構は第２リンクが水平方向に移動することで、支持軸を揺動中心に揺動する。揺動機構は第２リンクの移動に対する揺動範囲を変化させることで、可動刃の駆動タイミングを調整する。
【先行技術文献】
【特許文献】
【０００４】
【特許文献１】特開２００８−２２９０８２号公報
【発明の概要】
【発明が解決しようとする課題】
【０００５】
上記揺動機構は、支持軸に対して上側に第２リンク及び第３リンクが接続する。ミシンは糸を切断する場合、第２リンク及び第３リンクに力が作用する。故に揺動機構は、支持軸の上側のみに力が作用する為、第２リンク及び第３リンクに極端に大きな力が作用した場合に支持軸が変形し易くなる。ミシンは支持軸が変形した場合、第２リンクの移動に対し揺動機構が適切に揺動できず第３リンクの駆動状態が不安定になる為、糸を適切に切断できないという問題点がある。
【０００６】
本発明の目的は、糸を適切に切断できるミシンを提供することである。
【課題を解決するための手段】
【０００７】
本発明の第一態様に係るミシンは、ベッド部と、前記ベッド部の一方の端部から上方に延びる脚柱部と、前記脚柱部の上端から前記ベッド部に対向して延び、上軸を内部に備えるアーム部と、前記ベッド部の他方の端部且つ針板の下側に配置し、糸を切断する糸切り刃と、前記上軸の回転する力を前記糸切り刃に伝達するリンク機構とを備えたミシンにおいて、前記リンク機構は、前記上軸の回転に伴って延伸方向に移動する上軸側リンクと、前記上軸側リンクに接続し、前記上軸側リンクの移動に伴って揺動する揺動機構と、一端が前記揺動機構に接続し他端が前記糸切り刃まで延び、前記揺動機構の揺動に伴って延伸方向に移動する刃側リンクとを備え、前記揺動機構は、前記上軸側リンクの前記延伸方向と交差する方向に延びる軸部、及び、前記軸部の一端部から前記軸部の軸線方向と交差する方向に延びて前記刃側リンクと接続する固定レバー部を備えた本体部材と、前記本体部材の前記軸部の他端部に回動可能に連結し、前記軸線方向と交差する方向に延びて前記上軸側リンクと接続する可動レバー部材とを備え、前記揺動機構は、前記軸部のうち前記固定レバー部と前記可動レバー部材との間を前記ベッド部に揺動可能に支持することを特徴とする。
【０００８】
第一態様に係るミシンは、固定レバー部及び可動レバー部材の間の軸部で、揺動機構を揺動可能に支持する。ミシンは糸を切断する場合、揺動機構のうち固定レバー部及び可動レバー部材を設けた両端に力が作用する。揺動機構に作用する力は均衡する為、揺動機構の揺動は安定する。故に、揺動機構の揺動に伴って糸切り刃は適切に駆動する為、ミシンは糸を適切に切断できる。
【０００９】
第一態様に係るミシンの前記可動レバー部材は、前記軸部の他端部と前記上軸側リンクとに接続し、前記軸部の前記軸線方向と交差する方向に延びる延設部と、前記延設部の軸部側端部に連結し、前記延設部を前記軸部に回動可能に支持する穴を備えた枠部と、前記軸部に対して前記枠部を回動不能に固定する固定部とを備えてもよい。ミシンの可動レバー部材は軸部に対して枠部を回動することで、本体部材に対して延設部の延びる方向が異なる複数の状態に調整できる。固定部は本体部材に対して延設部の延びる方向が異なる複数の状態で、可動レバー部材を本体部材に固定できる。揺動機構は延設部の延びる方向に応じて揺動範囲が変化し、糸切り刃の駆動範囲は変化する。故にミシンは、本体部材に対する延設部の延びる方向を調整することで、糸切り刃が糸を切断するタイミングが適切となるように糸切り刃の駆動範囲を容易に調整できる。
【００１０】
第一態様に係るミシンの前記枠部は、前記穴を内周面に有する円筒状の第一枠部と、前記第一枠部の円筒の外周に設けた第二枠部と、前記第一枠部及び前記第二枠部に亙って設けられ前記穴の軸線に沿って延びる切り割り溝とを備え、前記第二枠部は、前記切り割り溝の延びる方向と直交する方向に延びて前記切り割り溝を貫通する螺子穴を備え、前記固定部は、前記螺子穴に挿入して前記切り割り溝を貫通することで前記切り割り溝の幅を狭める螺子を備え、前記螺子を前記螺子穴に挿入して前記切り割り溝の幅を狭めることにより、前記第一枠部の前記穴の内径を狭め前記軸部の外周面に密着して回動不能に固定してもよい。ミシンは螺子を締める程度を調整することで、穴の径を調整できる。ミシンは、螺子を緩めるだけで本体部材に対する可動レバー部材の延設部の延びる方向を複数の状態に調整できる。ミシンは、螺子を締めるだけで本体部材に可動レバー部材を固定することができる。故に操作者は、本体部材に対する可動レバー部材の延設部の延びる方向を容易に変更できる。
【００１１】
第一態様に係るミシンの前記揺動機構は、前記本体部材の前記軸部に対し前記可動レバー部材を前記固定レバー部と反対側に固定する固定部材を備えてもよい。固定部材は可動レバー部材が本体部材に固定しない状態で、可動レバー部材の軸線方向の移動を抑制する。可動レバー部材は延設部の延びる方向を調整する時に本体部材への固定を緩めても、軸部の位置が上下方向にずれるのを防ぐ。故に作業者は、延設部の延びる方向の調整を行う場合に、可動レバー部材を本体部材の所定位置に確実に連結できる。
【００１２】
本発明の第二態様に係るミシンは、ベッド部と、前記ベッド部の一方の端部から上方に延びる脚柱部と、前記脚柱部の上端から前記ベッド部に対向して延び、上軸を内部に備えるアーム部と、前記ベッド部の他方の端部且つ針板の下側に配置し、糸を切断する糸切り刃と、前記上軸の回転する力を前記糸切り刃に伝達するリンク機構とを備えたミシンにおいて、前記リンク機構は、前記上軸の回転に伴って延伸方向に移動する上軸側リンクと、前記上軸側リンクに接続し、前記上軸側リンクの移動に伴って揺動する揺動機構と、一端が前記揺動機構に接続し他端が前記糸切り刃まで延び、前記揺動機構の揺動に伴って延伸方向に移動する刃側リンクとを備え、前記揺動機構は、前記上軸側リンクの前記延伸方向と交差する方向に延びる軸部、及び、前記軸部の一端部から前記軸部の軸線方向と交差する方向に延びて前記上軸側リンクと接続する固定レバー部を備えた本体部材と、前記本体部材の前記軸部の他端部に回動可能に連結し、前記軸線方向と交差する方向に延びて前記刃側リンクと接続する可動レバー部材とを備え、前記揺動機構は、前記軸部のうち前記固定レバー部と前記可動レバー部材との間を前記ベッド部に揺動可能に固定したことを特徴とする。
【００１３】
第二態様に係るミシンは、固定レバー部及び可動レバー部材の間の軸部で、揺動機構を揺動可能に支持する。ミシンは糸を切断する場合、揺動機構のうち固定レバー部及び可動レバー部材を設けた両端に力が作用する。揺動機構に作用する力は均衡する為、揺動機構の揺動は安定する。故に、揺動機構の揺動に伴って糸切り刃は適切に駆動する為、ミシンは糸を適切に切断できる。
【図面の簡単な説明】
【００１４】
【図１】ミシン１の斜視図。
【図２】ミシン１の右側面図。
【図３】ミシン１内部の斜視図。
【図４】ミシン１の底面図。
【図５】リンク機構２０、伝達機構７０の斜視図。
【図６】伝達機構７０の平面図。
【図７】伝達機構７０の平面図。
【図８】接続部２４の拡大斜視図。
【図９】揺動機構４０の拡大斜視図。
【図１０】本体部材４１の斜視図。
【図１１】可動レバー部材４２の斜視図。
【図１２】可動レバー部材４２の斜視図。
【図１３】糸切り刃１６及び揺動機構４０の斜視図。
【図１４】第一状態における糸切り刃１６の平面図。
【図１５】第二状態における糸切り刃１６の平面図。
【図１６】第三状態における糸切りは１６の平面図。
【図１７】接続部２４の右側面図。
【図１８】揺動機構４０及び糸切り刃１６の斜視図。
【図１９】接続部２４の右側面図。
【図２０】揺動機構４０及び糸切り刃１６の斜視図。
【図２１】可動刃１８の駆動範囲を変化した場合の平面図。
【図２２】変形例における揺動機構４０及び糸切り刃１６の斜視図。
【発明を実施するための形態】
【００１５】
以下、本発明の一実施形態であるミシン１について図面を参照して説明する。以下説明は、図１の左斜め下方、右斜め上方、左斜め上方、右斜め下方を、夫々、ミシン１の前方、後方、左方、右方とする。Ｘ軸方向はミシン１の左右方向である。Ｙ軸方向はミシン１の前後方向である。
【００１６】
図１から図４を参照し、ミシン１の構造について説明する。ミシン１はベッド部２、脚柱部３、アーム部４を備える。ベッド部２は前後方向に延びる。ベッド部２は第一ベッド部８、第二ベッド部９を備える。第一ベッド部８はミシン１の後方に位置し、第二ベッド部９は第一ベッド部８の前方に位置する。第一ベッド部８の形状は略直方体の箱状である。第一ベッド部８は下軸７、ギア機構１０等を内部に備える。ギア機構１０は下軸７後端近傍に配置する。図８に示すように、ギア機構１０はギア１０１、ギア軸部１０２、連結部１０３を備える。ギア１０１はギア軸部１０２を中心とした略扇型であり、下軸７後端に設けたギア７０１に噛み合う。ギア１０１はギア軸部１０２を中心に揺動可能である。連結部１０３はギア１０１と一体形成し、ギア軸部１０２を中心に揺動可能である。連結部１０３はクランクロッド（図示略）を介して上軸６の偏心軸６２に接続する。ギア機構１０は上軸６の偏心軸６２、クランクロッドを介して伝わる上軸モータ（図示略）の回転駆動力を下軸７に伝達する。ギア機構１０にはフェルト（図示略）を介して潤滑剤を塗布する。下軸７は釜機構１１を駆動する。
【００１７】
第二ベッド部９は針板支持部９１、収容部９２を備える。収容部９２は第一ベッド部８前方に位置する。収容部９２の形状は略直方体の箱状である。収容部９２の左右方向の長さは第一ベッド部８の左右方向の長さよりも長い。収容部９２の上下方向の長さは、第一ベッド部８の上下方向の長さと略同一である。収容部９２は下軸７、布送り機構（図示略）等を内部に備える。下軸７は収容部９２の左右略中央を前後方向に一直線状に延びる。第一ベッド部８前側面と収容部９２後側面の接続部分は壁部９６を形成する。壁部９６は第一ベッド部８と収容部９２を離隔する。壁部９６に軸穴９７が設けてある。軸穴９７は壁部９６を貫通する。軸穴９７の径は下軸７を挿通可能な大きさである。下軸７は軸穴９７を通過し、第一ベッド部８と第二ベッド部９（針板支持部９１、収容部９２）の間に亙って延びる。
【００１８】
収容部９２下側面にリンク配置部９２１が設けてある。リンク配置部９２１は収容部９２下側面を上方に凹んだ溝状に形成してある。リンク配置部９２１は収容部９２の左右略中央を前後方向に一直線状に延びる。リンク配置部９２１は収容部９２下側面を前端から後端に亙って延びる。リンク配置部９２１内には後述する第二リンク２２を配置する。収容部９２下側面に４つの土台足９２２が設けてある。４つの土台足９２２の其々の形状は略円柱形である。４つの土台足９２２は収容部９２下側面の四隅から下方に突出する。土台足９２２は下面がテーブル（図示略）に当接し、ミシン１を支持する土台である。
【００１９】
針板支持部９１は収容部９２前側面且つ左右略中央から前方に突出する。針板支持部９１の形状は略直方体の下側が湾曲した箱状である。針板支持部９１の上下方向の長さは、収容部９２の上下方向の長さの略半分である。針板支持部９１上面は収容部９２上面よりもやや上方に位置する。針板支持部９１と収容部９２の間は壁で離隔せず連通する。針板支持部９１は下軸７、釜機構１１、糸切り刃１６等を内部に備える。下軸７は針板支持部９１内を前後方向に延びる。釜機構１１は下軸７前端に接続する。針板支持部９１上面に作業台５が設けてある。作業台５は略中央に針板１２を備える。針板１２は略中央に針穴（図示略）を備える。
【００２０】
脚柱部３は第一ベッド部８上部から上方に延びる。アーム部４は脚柱部３上端からベッド部２に対向して前方に延びる。上軸６はアーム部４及び脚柱部３内部を前後方向に延びる。上軸６後端は上軸モータ（図示略）に接続し、上軸モータの前側に伝達機構７０が設けてある。上述した偏心軸６２は上軸６のうち伝達機構７０の前方に設けてある。アーム部４は前端部に先端部１１１を備える。先端部１１１下方に針板１２上面が対向する。先端部１１１は針棒駆動機構６１、針棒、押え棒（図示略）等を内部に備える。縫針（図示略）は針棒先端に接続する。押え足（図示略）は押え棒先端に接続する。針棒駆動機構６１は上軸６前端に接続する。上軸６は針棒駆動機構６１を駆動し、針棒を上下動する。
【００２１】
ベッド部２は上方に布押え機構９３を設ける。収容部９２内部に設けた布送り機構（図示略）は布押え機構９３に接続する。布押え機構９３は押え枠９４、挟み枠９５を備える。押え枠９４は平面視略矩形状の開口を有する枠部材である。押え枠９４は押え上下動機構（図示略）の駆動により上下動可能である。挟み枠９５は押え枠９４の下方に位置し、押え枠９４の開口と略同一形状の開口を有する。布押え機構９３は押え枠９４と挟み枠９５の間に加工布（図示略）を挟んで作業台５上にて保持する。布送り機構は布押え機構９３をＸ軸方向及びＹ軸方向に移動可能に支持する。縫針は上軸６の回転により上下に往復移動する。上軸６は上軸モータで駆動する。上述のように釜機構１１は下軸７の駆動に伴い駆動する。下軸７は上軸モータの駆動力により駆動する。ミシン１の制御装置は縫製データに基づき布送り機構を制御する。布送り機構は布押え機構９３をＸ軸方向及びＹ軸方向に駆動する。作業台５上にて加工布はＸ軸方向及びＹ軸方向に移動する。ミシン１は縫針を上下動しながら釜機構１１を駆動し、加工布を移動する。故にミシン１は加工布上に縫い目を形成できる。
【００２２】
図５から図１６を参照し糸切り刃１６、リンク機構２０、伝達機構７０の構造について説明する。伝達機構７０は上軸６の回転力をリンク機構２０に伝達する。リンク機構２０は糸切り刃１６の可動刃１８に、上軸６の回転力を伝達する。糸切り刃１６は糸を切断する。
【００２３】
図５に示すように、伝達機構７０はアーム部４後方の脚柱部３内に配置する。伝達機構７０はカム板７１、駆動レバー７２、ソレノイド７３、回動板７５を備える。カム板７１は偏心軸６２の後方且つ上軸モータ前方に接続する。カム板７１の形状は円形板状であり、カム板７１の軸心に上軸６が貫通する。カム板７１は上軸６の回転に伴い回転する。カム板７１前側面にカム溝７１Ａが設けてある。カム溝７１Ａはカム板７１前側面から後方に凹むように全周に形成した溝である。
【００２４】
駆動レバー７２はカム板７１前方且つ上軸６上方に設けてある。駆動レバー７２の形状は左右方向に長い板状であり、右端に第一リンク２１上端が接続する。図６に示すように、第一リンク２１の延びる方向は駆動レバー７２右端から下方鉛直方向に対して後方に僅かに傾斜する。図６、図７に示すように、駆動レバー７２は、右端より左側に、後方に突出する突出部７２Ａが設けてある。突出部７２Ａは、後方にカム溝７１Ａが位置しカム溝７１Ａに係合可能である。駆動レバー７２は、突出部７２Ａの右側上端部に、前方に突出する規制部７２Ｂを備える。規制部７２Ｂはアーム部４に設けた規制片（図示略）に下方から当接し、駆動レバー７２の上方への揺動を規制する。規制部７２Ｂと規制片により規制する駆動レバー７２の位置は、突出部７２Ａがカム溝７１Ａに確実に係合する位置である。駆動レバー７２は、左端よりも右側に、前後方向に延びる貫通穴（図示略）が設けてある。前後方向に延びる棒状の軸７４は該貫通穴に挿通する。駆動レバー７２は軸７４を支点として回動可能であり且つ軸７４に沿って前後方向に移動可能である。軸７４には駆動レバー７２の後方にばね（図示略）が巻いてある。該ばねは駆動レバー７２を前方に付勢する。
【００２５】
ソレノイド７３は駆動レバー７２左端の前方に設けてある。図６、図７に示すように、ソレノイド７３は本体部７３１、プランジャ７３２を備える。本体部７３１の形状は略円柱形である。プランジャ７３２は前後方向に延びる。プランジャ７３２は本体部７３１の軸心位置に設けた穴に挿通する。プランジャ７３２後端には円筒部７３３が設けてある。円筒部７３３はプランジャ７３２から上方に延びる。ソレノイド７３は通電又は非通電を切り替えることでプランジャ７３２を前後方向に移動可能である。
【００２６】
回動板７５は円筒部７３３後方且つ駆動レバー７２左端前方に設けてある。回動板７５の形状は板状である。図６に示すように、回動板７５左端側には上下方向に貫通する穴７５１が設けてある。上下方向に延びる段ネジ７５２は穴７５１に挿通する。段ネジ７５２はアーム部４に締結する。回動板７５は突出部７５３、７５４を備える。突出部７５３は回動板７５の右端部で後方に突出する。突出部７５４は回動板７５の前端部で前方に突出する。回動板７５は段ネジ７５２を支点として回動可能であり、回動板７５右端側の突出部７５３は揺動可能である。突出部７５４は円筒部７３３に接触し、突出部７５３は駆動レバー７２左端の前側面に接触する。
【００２７】
図６に示すように、ソレノイド７３が非通電の時、プランジャ７３２は前方に位置する。プランジャ７３２が前方に位置する場合、駆動レバー７２左端は回動板７５の突出部７５３に接触し、軸７４に設けたバネの付勢力によって突出部７５３を前方に押す。回動板７５は突出部７５４が円筒部７３３に接触するまで回動する。駆動レバー７２は軸７４に沿って前方に移動する。駆動レバー７２の突出部７２Ａはカム溝７１Ａから離隔する。故に、上軸６が回転しても駆動レバー７２は揺動しない。この状態で、駆動レバー７２右端は揺動範囲の上側に配置する。
【００２８】
図７に示すように、ソレノイド７３が通電すると、プランジャ７３２は後方に移動する。プランジャ７３２が後方に移動した場合、円筒部７３３は回動板７５の突出部７５４を後方に押す。回動板７５は回動し、突出部７５３は駆動レバー７２左端に接触して駆動レバー７２を後方に押す。駆動レバー７２は軸７４に沿って後方に移動する。突出部７２Ａはカム溝７１Ａに係合する。故に、上軸６が回転した場合、突出部７２Ａはカム溝７１Ａに沿って移動する。突出部７２Ａは上下方向に移動し、駆動レバー７２右端は軸７４を支点として揺動する。
【００２９】
図５〜図８に示すように、リンク機構２０は第一リンク２１、接続部２４、第二リンク２２、揺動機構４０、刃側リンク２３（図９参照）を備える。第一リンク２１、接続部２４、第二リンク２２は揺動機構４０と伝達機構７０の間に介在する。刃側リンク２３は揺動機構４０と糸切り刃１６の間に介在する。第一リンク２１は棒状の部材である。第一リンク２１は脚柱部３内とベッド部２の第一ベッド部８（図１参照）内に亙って上下方向に延びる。第一リンク２１は上軸６右方を通過する。第一リンク２１上端は、伝達機構７０の駆動レバー７２右端に接続する。第一リンク２１は駆動レバー７２右端の揺動に伴い、延伸方向（上下方向）に移動可能である。
【００３０】
図８に示すように、接続部２４は第一ベッド部８内且つギア機構１０の下方に配置する。接続部２４は回動部２４１、軸部２４２を備える。回動部２４１は円筒部２４５、第一腕部２４３、第二腕部２４４を備える。円筒部２４５は左右方向に延びる筒状である。第一腕部２４３は円筒部２４５右側から後方に延びる板状である。第二腕部２４４は円筒部２４５左側から下方に延びる板状である。第一腕部２４３は後端に第一リンク２１下端が接続する。第一リンク２１は第一腕部２４３後端からギア機構１０の右方を通過して上方に延びる。第二腕部２４４は下端に第二リンク２２後端が接続する。第二腕部２４４は上下方向略中央部から後方に突出する突出部２４７（図１７参照）を備える。突出部２４７は後端に穴部２４６（図１７参照）を有する。穴部２４６はバネ（図示略）の一端部を取り付けることができる。バネは他端部を第一ベッド部８に固定する。軸部２４２は断面が円形の棒状であり、円筒部２４５を左右方向に貫通する。軸部２４２は回動部２４１を回動可能に支持する軸である。回動部２４１は第一リンク２１の延伸方向の移動に伴い、円筒部２４５を支点として回動可能である。回動部２４１はバネにより常に右側面視反時計回り方向に付勢してある。該付勢により、第一リンク２１は上方に移動し、駆動レバー７２は規制部７２Ｂがアーム部４の規制片に当接するまで上方に揺動する。
【００３１】
図５に示すように、第二リンク２２は前後方向に延びる。第二リンク２２の形状は一直線状に延びる棒状である。第二リンク２２後端は回動部２４１の第二腕部２４４（図８参照）下端に接続する。第二リンク２２は下軸７下方を延びる。図４に示すように、第二リンク２２は第一ベッド部８内から前方に延びる。第二リンク２２は収容部９２下側面のリンク配置部９２１内を通過する。故に、第二リンク２２は収容部９２下側面から下方に突出しない。第二リンク２２前端はリンク配置部９２１前端から前方に突出する。
【００３２】
図４に示すように、揺動機構４０は針板支持部９１と収容部９２の接続部分と該接続部分の下方に亙って設けてある。図９に示すように、揺動機構４０は本体部材４１、可動レバー部材４２、固定部材４４を備える。本体部材４１は固定レバー部４１１、軸部４１２を備える。軸部４１２は断面が円形の棒状である。軸部４１２は上下方向に延びる。固定レバー部４１１は軸部４１２上端に設けてある。固定レバー部４１１は軸部４１２上端から右方且つ軸部４１２の延伸方向（上下方向）と直交する方向に延びる。図１０に示すように、固定レバー部４１１と軸部４１２は一体形成してある。固定レバー部４１１は先端に穴４１３が設けてある。穴４１３は固定レバー部４１１先端を上下方向に貫通する。図９に示すように、固定レバー部４１１は先端に刃側リンク２３が接続する。穴４１３に挿通する螺子４１４は固定レバー部４１１先端に刃側リンク２３を回動可能に接続する。
【００３３】
本体部材４１は軸部４１２下側に可動レバー部材４２を着脱可能に設けてある。可動レバー部材４２は延設部４２１、枠部４３、固定部４２２を備える。可動レバー部材４２は枠部４３を軸部４１２に着脱する。
【００３４】
図１１、図１２に示すように、枠部４３は第一枠部４３１、第二枠部４３２、切り割り溝４３３、穴４３４を備える。第一枠部４３１の形状は円筒状である。第一枠部４３１の軸線方向は上下方向を向く。穴４３４は第一枠部４３１に設けてある。穴４３４は第一枠部４３１を軸線方向に貫通する。穴４３４の内径は固定レバー部４１１の軸部４１２の直径よりも僅かに大きい。第二枠部４３２は第一枠部４３１の外周壁に設けてある。第二枠部４３２は略円筒状であり、穴４３４の延びる方向と直交する方向に延びる。
【００３５】
切り割り溝４３３は第一枠部４３１と第二枠部４３２に亙って設けてある。切り割り溝４３３は第一枠部４３１の軸線方向、言い換えれば、穴４３４の延びる方向に沿って延びる。切り割り溝４３３はスリット状である。切り割り溝４３３を形成する２つの壁面４３５は対向する。切り割り溝４３３の第一枠部４３１側は穴４３４に連通し、第一枠部４３１に隙間を形成する。切り割り溝４３３は第二枠部４３２を２つの部位に分割する。第二枠部４３２の２つの部位の夫々は切り割り溝４３３を挟んで対向する。図１２に示すように、第二枠部４３２の２つの部位の一方は軸線方向に延びる螺子穴４３６を備える。螺子穴４３６は第一枠部４３１の穴４３４の延びる方向と直交する方向に延びる。
【００３６】
図１１に示すように、固定部４２２は螺子であり、第二枠部４３２の螺子穴４３６に締め付け可能である。固定部４２２を螺子穴４３６に締めることで、切り割り溝４３３を形成する２つの壁面４３５間の幅は狭くなる。故に、第一枠部４３１の穴４３４の内径は小さくなる。
【００３７】
延設部４２１は枠部４３の第一枠部４３１のうち第二枠部４３２を設けた側と反対側から、穴４３４の延びる方向と直交する方向に延びる。延設部４２１の延伸方向の長さは、本体部材４１の固定レバー部４１１（図９参照）の延伸方向の長さと略同一である。延設部４２１は、先端に上下方向に延びる穴４２５が設けてある。図９に示すように、延設部４２１先端には第二リンク２２前端が回動可能に接続する。穴４２５に挿通する螺子４２６は延設部４２１先端に第二リンク２２前端を接続する。
【００３８】
可動レバー部材４２は本体部材４１に固定する時、第一枠部４３１の穴４３４に固定レバー部４１１の軸部４１２を通した状態で固定部４２２を螺子穴４３６に締める。該場合、穴４３４の内径は小さくなるので、軸部４１２外周面に穴４３４内周面が密着する。可動レバー部材４２は延設部４２１が本体部材４１の固定レバー部４１１の延びる方向と略同一方向に延びた状態で互いに回動不能である。
【００３９】
固定部材４４は本体部材４１の軸部４１２下端且つ軸部４１２に固定した可動レバー部材４２下方に設けてある。固定部材４４の形状は円筒状である。固定部材４４の径方向の大きさは第一枠部４３１の径方向の大きさと略同一である。固定部材４４は軸線に沿って貫通する穴を備える。軸部４１２は該穴に挿通する。図１１に示すように、固定部材４４の外周壁から中心に向けて、複数の螺子４４１が挿通する。螺子４４１を締めることで、螺子４４１先端は固定部材４４の穴の内壁から内側に突出する。固定部材４４は穴に軸部４１２が挿通した状態で螺子４４１を締めることで、軸部４１２に固定する。固定部材４４は上方に配置する可動レバー部材４２の下方への移動を規制する。
【００４０】
図４に示すように、第二ベッド部９は針板支持部９１と収容部９２の接続部分に、上下方向に延びる貫通穴９２３を設けてある。貫通穴９２３は針板支持部９１の左右略中央よりも左側に設けてある。貫通穴９２３には揺動機構４０の本体部材４１の軸部４１２が挿通する。貫通穴９２３は軸部４１２のうち固定レバー部４１１と可動レバー部材４２との間の部分を回動可能に支持する。故に、揺動機構４０の固定レバー部４１１と可動レバー部材４２は揺動可能となる。固定レバー部４１１は貫通穴９２３上端に位置し、可動レバー部材４２は貫通穴９２３下端に位置する。固定レバー部４１１と可動レバー部材４２は第二ベッド部９を貫通穴９２３の上下方向から挟み込む。可動レバー部材４２の下面は収容部９２下側面と略同一高さに配置する。延設部４２１は軸部４１２から右方に延び、先端はリンク配置部９２１前端の前方に配置する。第二リンク２２は、リンク配置部９２１に沿って一直線状に延び、前端がリンク配置部９２１前端から前方に突出する。第二リンク２２前端は延設部４２１先端に接続する。
【００４１】
図３に示すように、固定レバー部４１１は針板支持部９１と収容部９２の接続部分の内部に位置する。固定レバー部４１１は軸部４１２から右方に延び、先端は下軸７上方に位置する。刃側リンク２３は固定レバー部４１１先端から前方に延び、針板支持部９１内且つ下軸７右上方に位置する。
【００４２】
図１３に示すように、刃側リンク２３の形状は前後方向に長い板状である。刃側リンク２３は水平方向に延び、前端近傍で下斜め前方に曲折し、更に水平方向に曲折して前方に延びる。刃側リンク２３前端は釜機構１１上方に位置する。刃側リンク２３前端近傍には糸切り刃１６が設けてある。糸切り刃１６は釜機構１１上方且つ針板１２下方に位置する。糸切り刃１６は固定刃１７と可動刃１８を備える。刃側リンク２３前端は可動刃１８に接続する。
【００４３】
図１４〜図１６を参照し、糸切り刃１６の構造を説明する。図１４〜図１６は可動刃１８の回動状態が異なる。以下、図１４に示す可動刃１８の状態を「第一状態」といい、図１５に示す可動刃１８の状態を「第二状態」といい、図１６に示す可動刃１８の状態を「第三状態」という。
【００４４】
固定刃１７は針板１２の下面且つ針穴（図示略）左側に固定してある。固定刃１７は基端部１７Ａ、延設部１７Ｂ、刃部１７Ｃを備える。基端部１７Ａ、延設部１７Ｂの形状は板状である。基端部１７Ａは２つの長穴１７１を備える。基端部１７Ａ上面は針板１２下面に接触する。螺子１７２は２つの長穴１７１の夫々に挿通し、針板１２に固定する。螺子１７２は針板１２に固定刃１７を固定する。固定刃１７は長穴１７１の長手方向の長さの範囲で針板１２に対する固定位置を変更できる。延設部１７Ｂは基端部１７Ａ右端から下方に僅かに延び、下端で後方に略水平に延びる。延設部１７Ｂは針板１２に対して基端部１７Ａよりも下側に位置する。延設部１７Ｂ後端は針板１２の針穴下方近傍まで突出する。延設部１７Ｂは後端に刃部１７Ｃが設けてある。刃部１７Ｃは先端が鋭利であり、刃部１７Ｃの位置で糸を切断できる。固定刃１７は長穴１７１の長手方向の長さの範囲で針板１２に対する固定位置を変更することで、刃部１７Ｃの位置を変更できる。
【００４５】
可動刃１８は固定刃１７右方に配置する。可動刃１８は円形板状の本体部１８１、本体部１８１から一方側に突出する突出部１８２、他方側に突出する突出部１８３を備える。本体部１８１は略中央に穴１８４が設けてある。図１３に示すように、軸１９１は固定刃１７右方に配置し、穴１８４に下方から挿通する。可動刃１８は軸１９１を支点として回動可能である。図１４〜図１６に示すように、突出部１８３は本体部１８１と反対側に延びる突出方向端部に穴１８５が設けてある。ピン１９２は刃側リンク２３前端に設けた穴と穴１８５に挿通し、可動刃１８と刃側リンク２３を回動可能に接続する。可動刃１８は刃側リンク２３の延伸方向の移動に伴い回動し、突出部１８２は軸１９１を支点として揺動する。
【００４６】
刃側リンク２３が後方に移動した場合の可動刃１８の状態が第一状態（図１４参照）である。刃側リンク２３が前後略中央に移動した場合の可動刃１８の状態が第二状態（図１５参照）である。刃側リンク２３が前方に移動した場合の可動刃１８の状態が第三状態（図１６参照）である。
【００４７】
図１４に示すように、第一状態では突出部１８２は本体部１８１前方に位置し、突出部１８３は本体部１８１後方に位置する。突出部１８２は固定刃１７の延設部１７Ｂから前方に離隔する。図１５に示すように、第二状態では本体部１８１、突出部１８２、１８３は左右方向に並ぶ。突出部１８２は固定刃１７の延設部１７Ｂ及び刃部１７Ｃ下方に位置する。突出部１８２は刃部１７Ｃに下方から接触する。図１６に示すように、第三状態では突出部１８２は本体部１８１後方に位置し、突出部１８３は本体部１８１前方に位置する。突出部１８２は固定刃１７の延設部１７Ｂから後方に離隔する。
【００４８】
突出部１８２は本体部１８１と反対側に延びる突出方向の外周側に第一辺１８２Ａ、第二辺１８２Ｂ、第三辺１８２Ｄ、第四辺１８２Ｅを備える。第一辺１８２Ａは突出部１８２の突出方向に延びる２辺のうち、第一状態（図１４参照）の場合に固定刃１７に近接する側の辺である。第一辺１８２Ａは突出部１８２の突出方向と交差する方向且つ内側から外側に向かう方向に延びる。第二辺１８２Ｂは第一辺１８２Ａの先端側に隣接する。第二辺１８２Ｂは突出部１８２が第一状態から第三状態へ揺動する場合の揺動方向に向けて突出し、先端は尖っている。第四辺１８２Ｅは突出部１８２の突出方向に延びる２辺のうち、第一状態の場合に固定刃１７から離隔する側の辺である。第四辺１８２Ｅは第二辺１８２Ｂ側に屈曲する。第三辺１８２Ｄは第二辺１８２Ｂと第四辺１８２Ｅの間の辺に設けてあり、本体部１８１と反対側に湾曲する。
【００４９】
突出部１８２は穴１８２Ｃ、凹部１８２Ｆを備える。穴１８２Ｃは第二辺１８２Ｂの内側に設け、上下方向に貫通する貫通穴である。凹部１８２Ｆは突出部１８２の上面に設けた凹状の溝である。凹部１８２Ｆは第四辺１８２Ｅから穴１８２Ｃに向けて延びる。
【００５０】
ミシン１が糸切り刃１６によって糸を切断する動作について説明する。ミシン１が縫製を行う場合、図６に示すように、ソレノイド７３のプランジャ７３２は前方に移動する。駆動レバー７２は軸７４に設けたばねの付勢力によって、軸７４に沿って前方に移動する。駆動レバー７２の突出部７２Ａはカム溝７１Ａから離隔する。故に、駆動レバー７２は上軸６が回転しても回動しない。この状態で、第一リンク２１は回動部２４１に取り付けたバネの付勢力により上方に移動した状態で静止する。
【００５１】
図１７に示すように、第一リンク２１の上方への移動に伴い、接続部２４は軸部２４２を支点として右側面視反時計回りに回動する。接続部２４の回動に伴い、第一腕部２４３は先端が水平方向よりもやや上方に傾き、第二腕部２４４先端は垂直方向よりもやや後方に傾く。故に、第二リンク２２は後方に移動した状態で静止する。図１８に示すように、第二リンク２２の後方への移動に伴い、揺動機構４０は軸部４１２を支点として平面視反時計回りに回動する。固定レバー部４１１先端と延設部４２１先端は後方に揺動した状態で静止する。故に、刃側リンク２３は後方に移動した状態で静止する。刃側リンク２３の後方への移動に伴い、可動刃１８は軸１９１を支点として回動し、第一状態（図１４参照）で静止する。
【００５２】
ミシン１が縫製を終了し、糸を切断する指示があった場合、図７に示すように、プランジャ７３２は後方に移動する。駆動レバー７２はばねの付勢力に逆らって軸７４に沿って後方に移動する。駆動レバー７２の突出部７２Ａはカム溝７１Ａに係合する。故に、上軸６の回転に伴い突出部７２Ａはカム溝７１Ａに沿って上下方向に移動し、駆動レバー７２右端は軸７４を支点として上下に揺動する。
【００５３】
はじめに駆動レバー７２右端は下方に揺動する。駆動レバー７２右端の下方への移動に伴い、第一リンク２１は下方に移動する。図１９に示すように、第一リンク２１の下方への移動に伴い、接続部２４は軸部２４２を支点として右側面視時計回りに回動する。接続部２４の回動に伴い、第一腕部２４３先端は水平方向よりもやや下方に傾き、第二腕部２４４先端は垂直方向よりもやや前方に傾く。故に、第二リンク２２は前方に移動する。図２０に示すように、第二リンク２２の前方への移動に伴い、揺動機構４０は軸部４１２を支点として平面視時計回りに回動する。固定レバー部４１１先端と延設部４２１先端は前方に揺動する。故に、刃側リンク２３は前方に移動する。刃側リンク２３の前方への移動に伴い、可動刃１８は軸１９１を支点として回動する。可動刃１８の状態は第一状態（図１４参照）から第二状態（図１５参照）を経て第三状態（図１６参照）まで変化する。
【００５４】
この時、縫針（図示略）から針穴（図示略）を通って下方に延びる上糸は、針穴下方にループを形成する。上糸のループのうち縫針に向けて延びる側と反対側は、針穴を通って針板１２上の布に向けて延びる。針板１２上の布から延びる下糸は針穴を通って糸切り刃１６下方の釜機構１１まで延びる。可動刃１８が第一状態（図１４参照）から第二状態（図１５参照）まで回動する場合、突出部１８２は前方から後方に移動する。第二辺１８２Ｂは針穴下方を前方から後方に向けて通過し、上糸のループに進入する。その後、上糸のループのうち縫針に向けて延びる側は第一辺１８２Ａに引っ掛かる。
【００５５】
更に可動刃１８は第二状態（図１５参照）から第三状態（図１６参照）まで回動する。第一辺１８２Ａは上糸を引っ掛けた状態で更に後方に移動し、上糸のループのうち縫針に向けて延びる側を後方に誘導する。可動刃１８が第三状態（図１６参照）まで回動した場合、上糸のループのうち縫針に向けて延びる側は突出部１８２の第一辺１８２Ａに接触し、針穴を通って上方に延びた状態になる。
【００５６】
次に、駆動レバー７２右端はカム板７１の回転に伴って上方に移動する。第一リンク２１は上方に移動し、第二リンク２２は後方に移動する。揺動機構４０は軸部４１２を支点として回し、固定レバー部４１１先端と延設部４２１先端は後方に揺動する。刃側リンク２３は後方に移動する。可動刃１８は軸１９１を支点として回動し、可動刃１８の状態は第三状態（図１６参照）から第二状態（図１５参照）を経て第一状態（図１６参照）に戻る。
【００５７】
可動刃１８の状態が第三状態（図１６参照）から第二状態（図１５参照）に戻る過程で、第四辺１８２Ｅに設けた屈曲部は、上糸のループのうち布に向けて延びる側及び下糸を第四辺１８２Ｅの中央に誘導する。上糸のループのうち布に向けて延びる側及び下糸は凹部１８２Ｆに沿って第四辺１８２Ｅから穴１８２Ｃに向けて延びる。可動刃１８の状態が第二状態から第一状態へ回動する場合、固定刃１７の刃部１７Ｃと可動刃１８の穴１８２Ｃは上下方向に重なる。刃部１７Ｃと穴１８２Ｃは上糸のループのうち布に向けて延びる側及び下糸を挟む。刃部１７Ｃは可動刃１８と協働して上糸のループのうち布に向けて延びる側及び下糸を切断する。更に可動刃１８は第一状態となる迄回動する。可動刃１８は元の状態（第一状態）に戻り、糸の切断は終了する。
【００５８】
本実施形態では、可動レバー部材４２は本体部材４１への固定を緩めた状態で、枠部４３と軸部４１２を相対的に回動することで延設部４２１の延びる方向と本体部材４１の固定レバー部４１１の延びる方向とが異なる状態にできる。延設部４２１の延びる方向と固定レバー部４１１の延びる方向とを変えることで、糸切り刃１６の駆動範囲は変化する。例えば、延設部４２１の延びる方向に対し固定レバー部４１１延びる方向を平面視時計回り方向にずらした場合、刃側リンク２３は前方に移動する。図２１に一点鎖線で示すように、刃側リンク２３が前方に移動すると、可動刃１８は軸１９１を支点として平面視時計回りに回動し、突出部１８２が第二状態の方向へ移動する。即ち、可動刃１８は第一状態から第三状態へ駆動する駆動範囲が変化し、刃部１７Ｃと協働して糸を切断するタイミングが変化する。故に、ミシン１は可動刃１８の駆動範囲を調整することで糸を切断するタイミングを適切にできる。
【００５９】
以上説明したように、ミシン１は貫通穴９２３が固定レバー部４１１及び可動レバー部材４２の間の軸部４１２を回動可能に支持する。ミシン１は糸切り刃１６が糸を切断する場合、揺動機構４０のうち固定レバー部４１１及び可動レバー部材４２を設けた両端に力が作用する。揺動機構４０に作用する力は均衡する為、軸部４１２の位置は安定し、揺動機構４０の揺動は安定する。故に、ミシン１は揺動機構４０の揺動に伴って糸切り刃１６は適切に駆動する為、糸を適切に切断できる。
【００６０】
ミシン１は軸部４１２に対して可動レバー部材４２の枠部４３を回動することで、本体部材４１に対して延設部４２１の延びる方向が異なる複数の状態に調整できる。固定部材４４は本体部材４１に対して延設部４２１の延びる方向が異なる複数の状態で、可動レバー部材４２を本体部材４１に固定できる。揺動機構４０は延設部４２１の延びる方向に応じて揺動範囲が変化し、可動刃１８の駆動範囲は変化する。故に、ミシン１は本体部材４１に対する延設部４２１の延びる方向を調整することで、可動刃１８の駆動範囲を容易に調整できる。故に、ミシン１は、可動刃１８が固定刃１７と協働して糸を切断するタイミングが適切となるように可動刃１８の駆動範囲を容易に調整できる。
【００６１】
ミシン１は螺子穴４３６に対して固定部４２２を締める程度を調整することで、穴４３１の径を調整できる。ミシン１は、固定部４２２を緩めるだけで本体部材４１に対して延設部４２１の延びる方向が異なる複数の状態に調整できる。ミシン１は、固定部４２２を締めるだけで本体部材４１に可動レバー部材４２を固定できる。故に、操作者は本体部材４１に対する可動レバー部材４２の延設部４２１の延びる方向を容易に変更できる。
【００６２】
ミシン１では固定部材４４は可動レバー部材４２が本体部材４１に固定しない状態で、可動レバー部材４２の上下方向の移動を抑制する。可動レバー部材４２は延設部４２１の延びる方向を調整する時に本体部材４１への固定を緩めても、軸部４１２の位置が上下方向にずれるのを防ぐ。故に、作業者は延設部４２１の延びる方向の調整を行う場合に、可動レバー部材４２を本体部材４１の所定位置に確実に連結できる。
【００６３】
尚、本発明は上記実施形態に限定されず、種々の変更が可能である。上記実施形態では、揺動機構４０の可動レバー部材４２に第二リンク２２が接続し、固定レバー部４１１に刃側リンク２３が接続した。ミシン１は、揺動機構４０の固定レバー部４１１に第二リンク２２が接続し、可動レバー部材４２に刃側リンク２３が接続してもよい。
【００６４】
図２２を参照し、本発明の変形例について説明する。変形例における揺動機構４０が上記実施形態と異なる点は、本体部材４１の固定レバー部４１１が軸部４１２下端に設けてあり、可動レバー部材４２が軸部４１２上端に固定する点である。該場合、固定部材４４は軸部４１２上側且つ可動レバー部材４２下方に固定することで可動レバー部材４２の下方への移動を規制する。本体部材４１の固定レバー部４１１と軸部４１２の形状、固定レバー部４１１の突出方向、第二リンク２２に対する軸部４１２の延びる方向、可動レバー部材４２の構造は、上記実施形態と同一であるので説明を省略する。
【００６５】
揺動機構４０の本体部材４１の軸部４１２は針板支持部９１と収容部９２の接続部分に設けた貫通穴９２３に挿通する。貫通穴９２３は軸部４１２のうち固定レバー部４１１と可動レバー部材４２との間の部分を回動可能に支持する。固定レバー部４１１は収容部９２下側面と略同一高さに配置する。固定レバー部４１１は軸部４１２から右方に延び、先端はリンク配置部９２１前端の前方に配置する。固定レバー部４１１先端は第二リンク２２前端に接続する。
【００６６】
可動レバー部材４２の延設部４２１は針板支持部９１と収容部９２の接続部分の内部に配置する。延設部４２１は軸部４１２から右方に延び、先端は下軸７右上方に位置する。刃側リンク２３は延設部４２１先端から前方に延び、針板支持部９１内且つ下軸７右上方に位置する。
【００６７】
以上説明したように、変形例においても上記実施形態と同様、ミシン１は貫通穴９２３が固定レバー部４１１及び可動レバー部材４２の間の軸部４１２を回動可能に支持する。ミシン１は糸切り刃１６が糸を切断する場合、揺動機構４０のうち固定レバー部４１１及び可動レバー部材４２を設けた両端に力が作用する。揺動機構４０に作用する力は均衡する為、揺動機構４０の揺動は安定する。故に、ミシン１は揺動機構４０の揺動に伴って糸切り刃１６は適切に駆動する為、糸を適切に切断できる。
【００６８】
揺動機構４０の固定レバー部４１１と可動レバー部材４２の延設部４２１は、軸部４１２に対して互いに反対方向に突出してもよい。固定レバー部４１１と延設部４２１は軸部４１２に対して交差する方向に突出していればよく、軸部４１２に対して鉛直方向に突出していなくてもよい。
【００６９】
軸部４１２に対する可動レバー部材４２の固定方法は、上記実施形態に限定されない。例えば、可動レバー部材４２の第一枠部４３１に中心に向けて延びる貫通穴を設けてもよい。該貫通穴に螺子を挿通してもよい。該螺子の先端は穴４３１内に突出可能としてもよい。貫通穴に挿通する螺子を締めることで、軸部４１２に可動レバー部材４２を固定してもよい。
【００７０】
固定部材４４の代わりに、軸部４１２に溝を設けてもよい。可動レバー部材４２の第一枠部４３１を該溝が下側から支持することによって、可動レバー部材４２の上下方向の位置を規制してもよい。
【００７１】
なお、第二リンク２２が本発明の「上軸側リンク」に相当する。
【符号の説明】
【００７２】
１      ミシン
２      ベッド部
３      脚柱部
４      アーム部
６      上軸
７      下軸
８      第一ベッド部
９      第二ベッド部
１０    ギア機構
１１    釜機構
１２    針板
１６    糸切り刃
１７    固定刃
１８    可動刃
２０    リンク機構
２１    第一リンク
２２    第二リンク
２３    刃側リンク
２４    接続部
４０    揺動機構
４１    本体部材
４２    可動レバー部材
４３    枠部
４４    固定部材
４１１  固定レバー部
４１２  軸部
４２１  延設部
４２２  固定部
４２５  穴
４３１  第一枠部
４３２  第二枠部
４３３  切り割り溝
４３４  穴
４３６  螺子穴
９２１  リンク配置部
【図１】
2014188354.tif 000003
【図２】
2014188354.tif 000004
【図３】
2014188354.tif 000005
【図４】
2014188354.tif 000006
【図５】
2014188354.tif 000007
【図６】
2014188354.tif 000008
【図７】
2014188354.tif 000009
【図８】
2014188354.tif 000010
【図９】
2014188354.tif 000011
【図１０】
2014188354.tif 000012
【図１１】
2014188354.tif 000013
【図１２】
2014188354.tif 000014
【図１３】
2014188354.tif 000015
【図１４】
2014188354.tif 000016
【図１５】
2014188354.tif 000017
【図１６】
2014188354.tif 000018
【図１７】
2014188354.tif 000019
【図１８】
2014188354.tif 000020
【図１９】
2014188354.tif 000021
【図２０】
2014188354.tif 000022
【図２１】
2014188354.tif 000023
【図２２】
2014188354.tif 000024